【手続補正書】
【提出日】平成22年3月15日(2010.3.15)
【手続補正１】
【補正対象書類名】明細書
【補正対象項目名】特許請求の範囲
【補正方法】変更
【補正の内容】
【特許請求の範囲】
【請求項１】折り曲げることによって安定した三角柱の構造を形成する第１から第４の板を有する髭剃り装置と、折り曲げることによって安定した三角柱の構造を形成する第５から第８の板を有するハンドルと、髭剃板とを有する人間の手のひらに容易に収まる大きさで長さが短く厚さが薄いカード形状の折りたたみ式の髭剃カードであって、
前記第１の板は、契合部材を有し、前記第４の板は、滑動制御溝を有し、前記契合部材は、髭剃使用時と使用後において滑動制御溝の移動範囲を移動するように前記滑動制御溝に嵌合することを特徴とする髭剃カード。
【請求項２】前記滑動制御溝は、複数の凹凸部を有し、前記複数の凹凸部の各凹部は、前記滑動制御溝内に移動可能に設ける髭剃角度制御板の凸部と契合し、前記髭剃角度制御板は、髭剃緩衝板及び弾性部材を含む緩衝装置を収容する髭剃緩衝板移動空間領域を有し、前記髭剃角度制御板は、前記複数の凹凸部の各凸部を乗り上げ各凹部を選択可能に移動し固定するように前記髭剃角度制御板を移動させるための押下部を有することを特徴とする請求項１に記載の髭剃カード。
【請求項３】折り曲げることによって安定した三角柱の構造を形成する第１から第４の板を有する髭剃り装置と、折り曲げることによって安定した三角柱の構造を形成する第５から第８の板を有するハンドルと、髭剃板とを有する人間の手のひらに容易に収まる大きさで長さが短く厚さが薄いカード形状の折りたたみ式の髭剃カードであって、
前記第１の板は、滑動を停止させるためのレバーを移動可能に収容するためのレバー溝を有する滑動制御板であることを特徴とする髭剃カード。
【請求項４】前記滑動制御板は、前記第４の板と層状に重ね、前記第４の板から外れることなく前記第４の板の面上を移動するように保持して組立て、前記レバー溝は、組立て時に前記レバーを介して前記第４の板の滑動制御溝と連携することを特徴とする請求項３に記載の髭剃カード。
【請求項５】折り曲げることによって安定した三角柱の構造を形成する第１から第４の板を有する髭剃り装置と、折り曲げることによって安定した三角柱の構造を形成する第５から第８の板を有するハンドルと、髭剃板とを有する人間の手のひらに容易に収まる大きさで長さが短く厚さが薄いカード形状の折りたたみ式の髭剃カードであって、
前記第４の板は、髭剃不使用時に契合凸部を収容固定する第１の収容固定部を有し、前記第１の収容固定部は、前記契合凸部を収容し固定できる空間を形成することを特徴とする髭剃カード。
【請求項６】髭剃使用時には、第２の板及び第３の板を折り曲げ、前記契合凸部を第２の収容固定部へ収容し固定し、髭剃部を構成し、髭剃不使用時には、前記契合凸部を前記第２の収容固定部から引き出し、前記第２の板及び前記第３の板を折りたたみ、前記契合凸部を前記第１の収容固定部へ収容し固定することによって折りたたんだ状態を得ることを特徴とする請求項５に記載の髭剃カード。
【手続補正２】
【補正対象書類名】明細書
【補正対象項目名】００１９
【補正方法】変更
【補正の内容】
【００１９】
図３は、滑動制御溝２５の他の実施例を示す説明図である。図３（Ａ）は、髭剃使用状態での滑動制御溝２５の状態を示す説明図である。滑動制御溝２５は、複数の凹凸部３１０を有する。本実施例では、丸み形状の複数の凹凸部３１０を示したが、形状は三角形状であっても良いし、その他であっても良い。複数の凹凸部３１０の各凹部は、髭剃角度制御板３１４の凸部３１８と契合する。凸部３１８は、複数の凹凸部３１０の各凸部を乗り上げ各凹部を選択可能に移動し固定するように弾力を有する。本実施例では、両凸部３１８の間に凹部を設けることによって、弾力構造を実現しているが、両凸部３１８を弾性材料で製造することによって弾力構造を実現しても良い。髭剃角度制御板３１４は、髭剃緩衝板３１６及び弾性部材３２０等を含む緩衝装置を収容する髭剃緩衝板移動空間領域３２４を有する。髭剃緩衝板３１６は、契合部材１９と契合する契合溝３２２を有する。弾性部材３２０は、圧縮及び復元の作用をする部材、例えば板バネ等である。髭剃角度制御板３１４は、押下部３１２を有する。押下部３１２は、複数の凹凸部３１０の各凸部を乗り上げ各凹部を選択可能に移動し固定するように髭剃角度制御板３１４を移動させるために使用する。なお、図示してないが、押下部３１２が押下されたとき、髭剃角度制御板３１４が安定して移動可能となるように、押下部３１２の付近の髭剃角度制御板３１４の部分から第４の板３０に延びる平板を設けることによって第４の板３０が髭剃角度制御板３１４を移動可能に支持する構造を有してもよい。あるいは、安定移動をさらに確実にするために、髭剃角度制御板３１４から延びる平板をＵ字形状に加工し第４の板３０の一部及び凹凸部３１０をＵ字形状の間に挟むことによって第４の板３０が髭剃角度制御板３１４を移動可能に支持してもよい。図示の押下部３１２の位置は、髭剃使用状態の位置を示す。
【手続補正３】
【補正対象書類名】明細書
【補正対象項目名】００２２
【補正方法】変更
【補正の内容】
【００２２】
図４は、髭剃使用時における本発明の髭剃カードの第１の実施例の正面の状態を示す説明図である。図４（Ａ）は、髭剃角度制御板３１４を有する本発明の髭剃カードの正面の状態を示す説明図である。髭剃使用状態の本発明の髭剃カードは髭剃装置αとハンドルβで構成される。髭剃装置αは、第１の板１０、第２の板１８、そして第３の板５６を切目１６、２０、そして２６が外側になるように折曲げ、第１の板１０を第４の板３０と層状に重ね、契合部材１９を契合溝３２２と契合させることによって実現する。さらに、第１の板１０から反対側の第４の板３０の上に、接続点Pを介して保持部材２１を接続し、第１の板１０が第４の板３０から外れることなく移動できるようにする。ハンドルβは、切目３８及び４２が外側になるように第８の板３６及び第７の板４０を折曲げ、第８の板３６の端部３７を第４の板３０と第６の板４８との間の折れ目上もしくは第４の板３０と第６の板４８との間の切目４６を外側にもつ線上に合わせた後（第１の折曲げ状態）、次に、切目４６及び５２が外側になるように第５の板５４及び第６の板４８を折曲げ、第１の折曲げ状態で折曲げられた第７の板４０及び第８の板３６の上に覆うように重ね合わせ、契合部材５０により第５の板５４と第７の板４０とを契合させる（第２の折曲げ状態）ことにより形成する。あるいは、ハンドルβは、切目４６及び５２が外側になるように第５の板５４及び第６の板４８を折曲げ、第５の板５４の端部５５を第４の板３０と第７の板４０との間の折れ目上もしくは第４の板３０と第７の板４０との間の切目４２を外側にもつ線上に合わせた後（第１aの折曲げ状態）、次に、切目３８及び４２が外側になるように第７の板４０及び第８の板３６を折曲げ、第１aの折曲げ状態で折曲げられた第５の板５４及び第６の板４８の上に覆うように重ね合わせ、契合部材（図示せず）により第６の板４８と第８の板３６とを契合させる（第２aの折曲げ状態）ことによって形成する。押下部３１２を髭剃使用の位置に移動させることにより、第１から第４までの板は、図示するように三角柱形状の構造となり安定した髭剃装置αを構成する。髭剃緩衝板３１６が無押圧のとき、第３の板５６は第４の板３０の中心軸の垂直方向に対してΘ１の角度に傾く。
【手続補正４】
【補正対象書類名】明細書
【補正対象項目名】００３１
【補正方法】変更
【補正の内容】
【００３１】
図７は、本発明の髭剃カードの第２の実施例の正面の状態を示す説明図である。図７（Ａ）は、第２の実施例の髭剃カードを使用する状態に折曲げた正面の状態を示す説明図である。第２の板１８及び第３の板５６は、第４の板３０から起き上がり、髭剃使用状態となる。さらに、レバー９によってこの状態を維持する。すでに述べたように、髭剃使用状態の本発明の髭剃カードは髭剃装置αとハンドルβで構成される。第２から第４までの板は、後に図示するように三角柱形状の構造となり安定した髭剃装置αを構成する。
【手続補正５】
【補正対象書類名】明細書
【補正対象項目名】００３４
【補正方法】変更
【補正の内容】
【００３４】
図８は、髭剃使用時における本発明の髭剃カードの第２の実施例の状態を示す。図８（Ａ）は、本発明の髭剃カードの第２の実施例を使用する状態に折曲げた状態の平面の状態を示す説明図である。契合部材５０により第５の板５４と第７の板４０とが契合することにより安定した三角柱形状のハンドルを構成する。
【手続補正６】
【補正対象書類名】明細書
【補正対象項目名】００３６
【補正方法】変更
【補正の内容】
【００３６】
図９は、髭剃使用時における本発明の髭剃カードの第２の実施例の側面の状態を示す説明図である。図９（Ａ）は、本発明の髭剃カードの第２の実施例を使用する状態に折曲げた状態の左側面の状態を示す説明図である。使用する状態に折曲げた状態の髭剃カードの左側面において、髭剃刃２２及び２４等で構成する髭剃部２３を固着した髭剃板が見られる。第５から第８までの板は、図示するように三角柱形状の構造となり安定したハンドルを構成する。
【手続補正７】
【補正対象書類名】明細書
【補正対象項目名】００３７
【補正方法】変更
【補正の内容】
【００３７】
図９（Ｂ）は、本発明の髭剃カードの第２の実施例を使用する状態に折曲げた状態の右側面の状態を示す説明図である。第５の板５４に設けられた契合部材５０により第５の板５４と第７の板４０とが契合することにより安定したハンドルを構成する。第５から第８までの板は、既に図示して説明したように三角柱形状の構造となり安定したハンドルを構成する。
【手続補正８】
【補正対象書類名】明細書
【補正対象項目名】００３８
【補正方法】変更
【補正の内容】
【００３８】
（実施例３）図１０は、本発明の髭剃カードの第３の実施例を全開した状態を示す。図１０（Ａ）は、本発明の髭剃カードの第３の実施例を全開した平面の状態を示す説明図である。実線及び点線は、既に説明した通りである。第３の実施例と第１の実施例との相違点の第１は、第１の実施例は第１の板１０を有するが、第３の実施例は第１の板１０を有しない点である。第３の実施例は、第１の板１０の替わりに契合凸部６１を有する。第３の実施例と第１の実施例との相違点の第２は、第１の実施例は第４の板３０に設けられた滑動制御溝２５を有するが、第３の実施例は滑動制御溝を有しない点である。第３の実施例において、第４の板３０は、髭剃不使用時に契合凸部６１を収容固定する第１の収容固定部６３を有する。この第１の収容固定部６３は、契合凸部６１に適合する穴もしくは収容し固定可能な空間を形成する板等である。
【手続補正９】
【補正対象書類名】明細書
【補正対象項目名】００３９
【補正方法】変更
【補正の内容】
【００３９】
図１０（Ｂ）は、本発明の髭剃カードの第３の実施例を全開した底面の状態を示す説明図である。第３の実施例において、第４の板３０は、髭剃使用時に契合凸部６１を収容固定する第２の収容固定部６５を有する。この第２の収容固定部６５は、契合凸部６１に適合する穴もしくは収容し固定可能な空間を形成する板等である。
【手続補正１０】
【補正対象書類名】明細書
【補正対象項目名】００４２
【補正方法】変更
【補正の内容】
【００４２】
図１１（Ｃ）は、髭剃使用時に、契合凸部６１が第２の収容固定部６５に収容固定された状態を示す。髭剃使用時には、契合凸部６１を第２の収容固定部６５へ収容し固定し、すでに説明したように第２の板１８及び第３の板５６を折り曲げ、髭剃部を構成する。髭剃不使用時には、契合凸部６１を第２の収容固定部６５から引き出し、すでに説明したように第２の板１８及び第３の板５６を折りたたみ、さらに契合凸部６１を第１の収容固定部６３へ収容し固定することによって折りたたんだ状態を得る。図示の第２の収容固定部６５は、契合凸部６１を収容し固定可能な袋の状態を形成した例を示す。すでに述べたように、収容し固定可能な穴の状態を形成しても良い。